(57)【要約】【課題】不揮発性記憶装置（ＲＯＭ２０）へのデータ書き込みを行うデータ書き込み装置（ＲＯＭライタ１０）に、データ書き込み作業支援機能を付加する。【解決手段】データ書き込みの際に、ＲＯＭ２０のＲＯＭライタ１０へのセット、ＲＯＭ２０への書き込み動作、ＲＯＭ２０のＲＯＭライタ１０からの外し、のルーチンワークが存在するＲＯＭライタ１０において、データ書き込み作業支援機能は、ＲＯＭ２０がＲＯＭライタ１０へセットされているか否かを検知するセンサー１１と、ＲＯＭライタ１０の動作状態を示す信号を生成する動作状態信号生成部１４と、センサー１１の出力信号と動作状態信号生成部１４の出力信号とから、ＲＯＭライタ１０における書込み作業状態を検知し、該書込み作業状態に応じた制御信号を生成する制御信号生成部１５と、制御信号に応答して可聴音を出力し、作業者に書込み作業状態を知らせる音声送出回路１６とで構成される。【選択図】　　　図１
2004014051.tif 000002
【特許請求の範囲】
【請求項１】
電気的にデータを書き込むことができる不揮発性記憶装置を書き込み対象品とし、該書き込み対象品に対するデータの書き込みを行うデータ書き込み装置であって、前記データの書き込みの際に前記書き込み対象品の前記データ書き込み装置への手動による着脱が必要であり、かつ、繰り返し作業で、少なくとも、前記書き込み対象品の前記データ書き込み装置へのセット、前記書き込み対象品への書き込み動作、前記書き込み対象品の前記データ書き込み装置からの取り外し、のルーチンワークが存在する前記データ書き込み装置において、
前記書き込み対象品が前記データ書き込み装置へセットされているか否かを検知する検知手段と、
前記データ書き込み装置の動作状態を示す信号を生成する動作状態信号生成部と、
前記検知手段の出力信号と前記動作状態信号生成部の出力信号とから、前記データ書き込み装置における書き込み作業状態を検知し、該書き込み作業状態に応じた制御信号を生成する制御信号生成部と、
前記制御信号に応答して可聴音を出力し、作業者に書き込み作業状態を知らせる音声送出回路とを有することを特徴とするデータ書き込み作業支援機能を有するデータ書き込み装置。
【請求項２】
電気的にデータを書き込むことができる不揮発性記憶装置を書き込み対象品とし、該書き込み対象品に対するデータの書き込みを行うデータ書き込み装置であって、前記データの書き込みの際に前記書き込み対象品の前記データ書き込み装置への手動による着脱が必要であり、かつ、繰り返し作業で、少なくとも、前記書き込み対象品の前記データ書き込み装置へのセット、前記書き込み対象品への書き込み動作、前記書き込み対象品の前記データ書き込み装置からの取り外し、のルーチンワークが存在する前記データ書き込み装置に取り付けて使用するデータ書き込み作業支援装置において、
前記データ書き込み装置に設けられ、前記書き込み対象品が前記データ書き込み装置へセットされているか否かを検知する第１の検知手段と、
前記データ書き込み装置に設けられ、前記データ書き込み装置から前記書き込み対象品へ電源供給がなされているか否かを検知する第２の検知手段と、
前記第１の検知手段の出力信号と前記第２の検知手段の出力信号とから、前記データ書き込み装置における書き込み作業状態を検知し、該書き込み作業状態に応じた制御信号を生成する制御信号生成部と、
前記制御信号に応答して可聴音を出力し、作業者に書き込み作業状態を知らせる音声送出回路とを有することを特徴とするデータ書き込み作業支援装置。
【発明の詳細な説明】
【０００１】
【発明の属する技術分野】
本発明は、電気的にデータを書き込むことができる不揮発性記憶装置を書き込み対象品とし、該書き込み対象品に対するデータの書き込みを行うデータ書き込み装置に関し、特に、データ書き込み作業支援機能を有するデータ書き込み装置に関する。本発明は、また、データ書き込み装置に取り付けて使用するデータ書き込み作業支援装置に関する。
【０００２】
【従来の技術】
電気的にデータを書き込むことができる不揮発性記憶装置は、例えば、ＰＲＯＭ（ｐｒｏｇｒａｍｍａｂｌｅ　ｒｅａｄ　ｏｎｌｙ　ｍｅｍｏｒｙ）、ＥＰＲＯＭ（ｅｌｅｃｔｒｉｃａｌｌｙ　ｐｒｏｇｒａｍｍａｂｌｅ　ｒｅａｄ　ｏｎｌｙ　ｍｅｍｏｒｙ）、ＥＥＰＲＯＭ（ｅｌｅｃｔｒｉｃａｌｌｙ　ｅｒａｓａｂｌｅ　ｐｒｏｇｒａｍｍａｂｌｅ　ｒｅａｄ　ｏｎｌｙ　ｍｅｍｏｒｙ）、ＦＲＡＳＨ−ＲＯＭ、またはこれらの機能を備えた多機能ＩＣ（ｉｎｔｅｇｒａｔｅｄ　ｃｉｒｃｕｉｔ）、あるいはこれらの機能を有するプリント実装基板等である。
【０００３】
本発明は、不揮発性記憶装置を書き込み対象品とするデータ書き込み装置であって、データの書き込みの際に書き込み対象品のデータ書き込み装置への手動による着脱が必要であるデータ書き込み装置において、人為的な書き込みミスの防止と作業ロスの低減を低価格で実現するものである。
【０００４】
以下、説明の便宜上、“不揮発性記憶装置”を「ＲＯＭ」と称し、“不揮発性記憶装置を書き込み対象品とするデータ書き込み装置”を「ＲＯＭライタ」と称する。
【０００５】
ＲＯＭライタによってＲＯＭへ書き込み作業を行う場合、次のルーチンワークとなる。
【０００６】
▲１▼空ＲＯＭをＲＯＭライタにセットする。
▲２▼ＲＯＭライタに書き込み指示を与える為の操作を行う。
▲３▼ＲＯＭライタが書き込み動作中となる。（ただし、書き込み動作はイレースチェック、ライト、リードチェックのフロー）
▲４▼ＲＯＭライタが書き込みを終了し待機状態となる。
▲５▼ＲＯＭライタより書き込み済みのＲＯＭを外す。
【０００７】
次に▲１▼からの繰り返し作業となる。また、▲３▼のＲＯＭ書き込み動作中の時間に他の作業も行いたいが書き込みが終わったのはＲＯＭライタの表示器を見て▲４▼の状態と判断し▲５▼のＲＯＭ外し作業に移行するという作業の流れとなる。
【０００８】
【発明が解決しようとする課題】
従来の技術では▲１▼から▲５▼のルーチンワークを実施中に外的要因（例えば、上司からの呼び出し等）により作業を中断させられた場合そして作業に復帰した場合、どの作業を実施中であったかを誤認する可能性がある。例えば▲１▼にてＲＯＭをセットし▲２▼を行おうとしている状態で中断が入り、復帰した時、書き込み操作を実施したと思い込み、現在▲４▼の待機状態だと誤認する可能性がある。また、▲３▼のＲＯＭ書き込み時間に他の作業を行いたいが書き込みが終わったことはＲＯＭライタの表示器をみて判断するしかないのでタイムロスなくＲＯＭ書き込み作業を行うのは難しい。
【０００９】
この発明は、データ書き込み装置（ＲＯＭライタ）に補助の機能または装置を取り付けることにより状態別の音を送出して、前述の作業ミスと作業ロスを防止する事を目的とする。
【００１０】
【課題を解決するための手段】
本発明によれば、電気的にデータを書き込むことができる不揮発性記憶装置を書き込み対象品とし、該書き込み対象品に対するデータの書き込みを行うデータ書き込み装置であって、前記データの書き込みの際に前記書き込み対象品の前記データ書き込み装置への手動による着脱が必要であり、かつ、繰り返し作業で、少なくとも、前記書き込み対象品の前記データ書き込み装置へのセット、前記書き込み対象品への書き込み動作、前記書き込み対象品の前記データ書き込み装置からの取り外し、のルーチンワークが存在する前記データ書き込み装置において、
前記書き込み対象品が前記データ書き込み装置へセットされているか否かを検知する検知手段と、
前記データ書き込み装置の動作状態を示す信号を生成する動作状態信号生成部と、
前記検知手段の出力信号と前記動作状態信号生成部の出力信号とから、前記データ書き込み装置における書き込み作業状態を検知し、該書き込み作業状態に応じた制御信号を生成する制御信号生成部と、
前記制御信号に応答して可聴音を出力し、作業者に書き込み作業状態を知らせる音声送出回路とを有することを特徴とするデータ書き込み作業支援機能を有するデータ書き込み装置が得られる。
【００１１】
更に本発明によれば、電気的にデータを書き込むことができる不揮発性記憶装置を書き込み対象品とし、該書き込み対象品に対するデータの書き込みを行うデータ書き込み装置であって、前記データの書き込みの際に前記書き込み対象品の前記データ書き込み装置への手動による着脱が必要であり、かつ、繰り返し作業で、少なくとも、前記書き込み対象品の前記データ書き込み装置へのセット、前記書き込み対象品への書き込み動作、前記書き込み対象品の前記データ書き込み装置からの取り外し、のルーチンワークが存在する前記データ書き込み装置に取り付けて使用するデータ書き込み作業支援装置において、
前記データ書き込み装置に設けられ、前記書き込み対象品が前記データ書き込み装置へセットされているか否かを検知する第１の検知手段と、
前記データ書き込み装置に設けられ、前記データ書き込み装置から前記書き込み対象品へ電源供給がなされているか否かを検知する第２の検知手段と、
前記第１の検知手段の出力信号と前記第２の検知手段の出力信号とから、前記データ書き込み装置における書き込み作業状態を検知し、該書き込み作業状態に応じた制御信号を生成する制御信号生成部と、
前記制御信号に応答して可聴音を出力し、作業者に書き込み作業状態を知らせる音声送出回路とを有することを特徴とするデータ書き込み作業支援装置が得られる。
【００１２】
【発明の実施の形態】
次に、本発明の実施例１であるデータ書き込み作業支援機能を有するデータ書き込み装置と、本発明の実施例２であるデータ書き込み作業支援装置とについて説明する。
【００１３】
以下においても、上述のとおり、説明の便宜上、“不揮発性記憶装置”を「ＲＯＭ」と称し、“不揮発性記憶装置を書き込み対象品とするデータ書き込み装置”を「ＲＯＭライタ」と称する。
【００１４】
（実施例１）従来のＲＯＭライタに新たにデータ書き込み作業支援機能を追加する場合
ＲＯＭセットレバーのＯＮ、ＯＦＦの状態を検出する第１のセンサー（特定ＲＯＭ専用アダプタを接続して使用する場合はアダプタ側に第１のセンサーを取り付ける）の信号と、ＲＯＭライタＣＰＵ部内の動作状態信号生成部にて生成された、ＲＯＭライタの動作状態を示す信号とを、入力として、ＲＯＭライタＣＰＵ部内の制御信号生成部が制御信号を生成し、その制御信号により音声送出回路は状態別の音声信号を出力する。
【００１５】
（実施例２）従来のＲＯＭライタとは別にデータ書き込み作業支援装置を設ける場合
ＲＯＭライタ（または特定ＲＯＭ専用のアダプタ）へのＲＯＭの着脱を検出する第１のセンサーとＲＯＭへの電源供給のＯＮとＯＦＦを検出する第２のセンサー（またはホトカプラ）を設ける。データ書き込み作業支援装置は、第１のセンサーと第２のセンサーの状態を監視し、これらの状態の変化によってＲＯＭライタの書き込み作業状態の移行を把握して保持し、それぞれの状態に応じて音声送出回路を制御する制御信号を生成する制御信号生成部を有する。データ書き込み作業支援装置の音声送出回路は制御信号に応じて書き込み作業状態別の音声信号を出力する。
【００１６】
実施例１、実施例２とも、状態別音声信号として、上記▲１▼及び上記▲２▼の空ＲＯＭ装着、動作前の状態時に音１（第１の音）を送出し、上記▲３▼の書き込み中に音２（第２の音）を送出し、上記▲４▼の書き込み終了時に音３（第３の音）を送出し、上記▲５▼のＲＯＭ外し時に音４（第４の音）を送出する。
【００１７】
以上のことにより、書き込み作業状態を音で知ることができるので、誤認による作業ミスを低減し、作業のタイムロスを低減することが可能となる。
【００１８】
次に、実施例１及び実施例２について図面を参照して詳細に説明する。
【００１９】
図１を参照すると、実施例１（ＲＯＭライタ１０自体にデータ書き込み作業支援機能を追加した場合）の構成が示されている。入力部として、ＲＯＭセットレバーのＯＮ／ＯＦＦ検出センサーである第１のセンサー１１を有する。第１のセンサー１１は、ＲＯＭセットレバーＯＮを検出することにより、ＲＯＭ（書き込み対象品）２０がＲＯＭライタ１０にセットされていることを検出する。第１のセンサー１１は、ＲＯＭセットレバーＯＦＦを検出することにより、ＲＯＭ（書き込み対象品）２０がＲＯＭライタ１０にセットされていないことを検出することとなる。
【００２０】
ＲＯＭライタＣＰＵ部１３は、動作状態信号生成部１４を有する。動作状態信号生成部１４は、ＲＯＭライタ１０の操作パネルからの入力情報等により、ＲＯＭライタ１０の動作状態を認識しており、ＲＯＭライタ１０の動作状態を示す信号を生成する。
【００２１】
ＲＯＭライタＣＰＵ部１３は、更に、制御信号生成部１５を有する。制御信号生成部１５は、第１のセンサーの出力信号と動作状態信号生成部１４の出力信号とから、ＲＯＭライタ１０における書き込み作業状態を検知し、該書き込み作業状態に応じた制御信号を生成する。
【００２２】
音声送出回路１６は、制御信号に応答して可聴音を出力し、作業者に書き込み作業状態を知らせる。
【００２３】
具体的には、音声送出回路１６は、制御信号により以下のような状態別の信号音を送出する。
【００２４】
ＲＯＭライタ１０が初期の待機状態でセットレバーがＯＮの場合、ＲＯＭライタＣＰＵ部１３は、空ＲＯＭセット状態となる音１の信号をスピーカより送出する。次に作業者による操作情報として上記▲２▼のＲＯＭライタ書き込み操作信号を入力後、上記▲３▼の書き込み動作中は音２の信号をスピーカより送出する。次に上記▲４▼の書き込み動作が終了した場合、音３の信号をスピーカより送出する。その後セットレバーがＯＦＦとなった時、上記▲５▼のＲＯＭ外し状態として音４を送出する。
【００２５】
音声送出回路１６としては様々な回路構成が考えられるが例として音１（周波数１、レベルＡ）、音２（無音）、音３（周波数１、レベルＢ）、音４（周波数１と２のＭＩＸ、レベルＡ）の場合について説明する。音声送出回路の構成として発振回路１（以下ＯＳＣ１）と発振回路２（以下ＯＳＣ２）、減衰器（以下ＡＴＴ）、増幅器（以下ＡＭＰ）とスピーカ（以下ＳＰＫ）の機能を必要とし、これらを制御するＲＯＭライタＣＰＵ部１３からの信号としてＯＳＣ１−ＯＮ／ＯＦＦ、ＯＳＣ２−ＯＮ／ＯＦＦ、ＡＴＴ−ＯＮ／ＯＦＦの出力信号を必要とする。
【００２６】
上記▲１▼の空ＲＯＭセット状態はＲＯＭライタが待機状態（書き込み操作待ち）でセットレバーセンサー１がＯＮの場合、音１（周波数１、レベルＡ）を送出すべくＯＳＣ１−ＯＮ、ＯＳＣ２−ＯＦＦ、ＡＴＴ−ＯＮの制御を行う。
【００２７】
上記▲２▼において書き込み操作状態を受け上記▲３▼のＲＯＭライタ書き込み中は音２（無音）を送出の為ＯＳＣ１−ＯＦＦ、ＯＳＣ２−ＯＦＦ、ＡＴＴ−いずれでも可、の制御を行う。
【００２８】
上記▲４▼の書き込み終了後、音３（周波数１、レベルＢ）を送出の為ＯＳＣ１−ＯＮ、ＯＳＣ２−ＯＦＦ、ＡＴＴ−ＯＦＦの制御を行う。この音２（無音）から音３（周波数１、レベルＢ）の変化は作業者に書き込み終了を即座に知らせ、作業操作を促す。
【００２９】
上記▲５▼において、ＲＯＭ２０を外すためセットレバーを外すと、音４（周波数１と２のＭＩＸ、レベルＢ）を送出する。制御はＯＳＣ１−ＯＮ、ＯＳＣ２−ＯＮ、ＡＴＴ−ＯＮとなる。ＲＯＭ２０を外し、次に新たな空ＲＯＭをセットしセットレバーをＯＮとする。この状態で上記▲１▼からの繰り返しとなる。
【００３０】
もし上記▲５▼において、ＲＯＭ２０を外す動作を忘れレバーをセットして上記▲１▼からの状態とした場合はＲＯＭ書き込み時のイレースチェックにてエラーとなる。この場合ＯＳＣ１−ＯＦＦ、ＯＳＣ２−ＯＮ、ＡＴＴ−ＯＮの制御にて音５（周波数２、レベルＢ）を送出する。又リードチェックのエラー時も同様の制御を行う。
【００３１】
ＲＯＭ２０がセットされた状態で書き込み前か、書き込み後かは、音１（周波数１、レベルＡ）及び音３（周波数１、レベルＢ）において、レベルＢをレベルＡより音量を上げて、明らかな強弱をつけ、作業者が誤認する可能性を激減させる。
【００３２】
また、上述したように音２（無音）より書き込み終了時の音３（周波数１、レベルＢ）への変化は、作業操作を促し作業ロスを低減させる。
【００３３】
増幅器ＡＭＰには作業環境ノイズによる影響及び作業者個人の聴覚能力による誤差を相殺する為のボリュームを設ける。
【００３４】
図２を参照すると、実施例２（ＲＯＭライタ１０’とは別にデータ書き込み作業支援装置３０を用いた場合）の構成が示されている。入力部として、ＲＯＭライタ１０’（又は特定ＲＯＭ専用のアダプタ）に対して、第１のセンサー１１及び第２のセンサー１２を取り付ける。
【００３５】
第１のセンサー１１は、ＲＯＭセットレバーのＯＮ／ＯＦＦ検出センサーである。すなわち、第１のセンサー１１は、ＲＯＭセットレバーＯＮを検出することにより、ＲＯＭ２０がＲＯＭライタ１０’にセットされていることを検出する。第１のセンサー１１は、ＲＯＭセットレバーＯＦＦを検出することにより、ＲＯＭ２０がＲＯＭライタ１０’にセットされていないことを検出することとなる。
【００３６】
第２のセンサー１２は、電源供給ＯＮ／ＯＦＦ検出センサー（又は電流検出ホトカプラ）である。第２のセンサー１２は、ＲＯＭライタ１０’からＲＯＭ２０へ電源供給がなされているか否かを検知する。
【００３７】
データ書き込み作業支援装置３０は、制御信号生成部１５’と、音声送出回路１６とを有する。
【００３８】
制御信号生成部１５’は、第１のセンサー１１の出力信号と第２のセンサー１２の出力信号とから、ＲＯＭライタ１０’における書き込み作業状態を検知し、該書き込み作業状態に応じた制御信号を生成する。
【００３９】
音声送出回路１６は、制御信号に応答して可聴音を出力し、作業者に書き込み作業状態を知らせる。
【００４０】
すなわち、制御信号生成部１５’は、第１のセンサー１１及び第２のセンサー１２の状態を監視し、これらの状態の変化によって書き込み作業状態の移行を把握して保持し、それぞれの状態に応じて音声送出回路１６を制御する信号を生成する論理回路を有する。
【００４１】
図３に、制御信号生成部１５’としての論理回路の１例を示す。また、音声送出回路１６の具体例も図３に示す。図３において、制御信号生成部１５’としての論理回路は、制御信号ａ，ｂ，ｃを音声送出回路１６に送り、図１の実施例１の場合と同様にＯＳＣ１−ＯＮ／ＯＦＦ、ＯＳＣ２−ＯＮ／ＯＦＦ、ＡＴＴ−ＯＮ／ＯＦＦの制御を行い、図４における状態に対応した出力音声信号を音声送出回路１６に送出させる。なお、ＲＯＭセット用ソケットが複数個存在する場合は使用するソケット全てが対応の状態となった場合を状態変化とする。
【００４２】
従来技術ではＲＯＭ書き込み作業時の個々のミス防止機能（例えば、ＲＯＭのピンとソケット電極の接触検出機能やレバーセット忘れ警報機能など）はあるが作業のフローを認知させるような装置はなかった。この発明は（１）作業フローを作業者に常に音により知らせる為、空ＲＯＭをセットして書き込まずに次工程に流出させるような作業ミスが発生しにくくなる。（２）またＲＯＭライタが自動で行っている間の時間を有効に活用する為、別の作業も同時に実施するケースも多く、その為、誤認の可能性も高くなる。しかし前述の理由により作業ミスを低減できる。（３）書き込み動作中に別の作業をしていても、音２（無音）から音３（周波数１、レベルＢ）の信号音送出にて、作業者は他の作業中、書き込み終了を知る事が出来る為、作業ロスが低減できる。（４）これらの機能を実施例２ではＲＯＭライタに依存しないでも安価に構成できる。
【００４３】
【発明の効果】
以上説明したように本発明によれば、データ書き込み装置（ＲＯＭライタ）に補助のデータ書き込み作業支援機能またはデータ書き込み作業支援装置を取り付けることにより状態別の音を送出して、作業ミスと作業ロスを防止する事ができる。
【図面の簡単な説明】
【図１】本発明の実施例１である、データ書き込み作業支援機能を有するデータ書き込み装置（ＲＯＭライタ１０）を示したブロック図である。
【図２】本発明の実施例２であるデータ書き込み作業支援装置（３０）を示したブロック図である。
【図３】図２のデータ書き込み作業支援装置（３０）における制御信号生成部１５’及び音声送出回路１６の例を示した図である。
【図４】図２のデータ書き込み作業支援装置（３０）における入力信号（ＲＯＭライタ状態）に対する制御信号及び出力音声信号の対応表を示した図である。
【符号の説明】
１０　　ＲＯＭライタ（データ書き込み作業支援機能を有するデータ書き込み装置）
１０’　　ＲＯＭライタ（データ書き込み装置）
１１　　第１のセンサー
１２　　第２のセンサー
１３　　ＲＯＭライタＣＰＵ部
１４　　動作状態信号生成部
１５　　制御信号生成部
１５’　　制御信号生成部
１６　　音声送出回路
２０　　ＲＯＭ（不揮発性記憶装置）
３０　　データ書き込み作業支援装置
【図１】
2004014051.tif 000003
【図２】
2004014051.tif 000004
【図３】
2004014051.tif 000005
【図４】
2004014051.tif 000006